(57)【要約】【課題】補助握手付杖における補助握手の位置を特別の道具等を不要にして、簡潔に変更することの出来る新規の補助握手付杖を提供する。【解決手段】本発明による補助握手付杖１は、上端に握手３２を備え下端に足を備えている支柱３１に位置を変更できる補助握手５を装備して成り、補助握手５に位置を調整できる把握機構を配備して、把握機構が使用者の体重によって位置を設定できる作動装置としての制動機構３を備えることを特徴にしており、特別の道具等を不要にして補助握手の最適な位置設定を簡潔にしながら、使用者の体重によって強固に固定できるようにしている。【選択図】　図１
2004073331.tif 000002
【特許請求の範囲】
【請求項１】
上端に握手を備え下端に足を備えている支柱に位置を変更できる補助握手を装備して成る杖であって、補助握手に位置を調整できる把握機構が配備されることを特徴とする補助握手付杖。
【請求項２】
把握機構が、使用者の体重によって位置を設定できる作動装置を備えていることを特徴とする請求項１に記載の補助握手付杖。
【発明の詳細な説明】
【０００１】
【発明の属する技術分野】
本発明は、補助握手付杖に関し、特に補助握手の設定位置を簡潔な操作で容易に変更できる補助握手付杖に関する。
【０００２】
【従来の技術】
従来公知の補助握手付杖３０は、通常の杖が、支柱３１、握手３２及び足３３の３つの部分から構成されているのに対して、図５に示すように支柱３１の中間部にストッパー３４と可動握手３５を配置している。
【０００３】
人間は、立っている時の高姿勢と、座る、寝る、しゃがむ、腰掛ける等の低姿勢という２つの姿勢を採っているが、それぞれの姿勢から他の姿勢に互いに移行する時には、中腰の状態を経過することになる。
【０００４】
実は、足腰に取ってこの中腰の状態が最も大きい負担を受けるものであり、足腰に障害を持っている人にとっては、この中腰における足腰の負担を軽くすることが重要な課題になっている。
【０００５】
そこで、補助握手付杖３０は、ストッパー３４で設定された高さまで可動握手３５を降ろすことによって、可動握手３５を握りながらこれに体重を乗せることで、一方の姿勢から他方の姿勢に移行する時の移動動作を楽に行うことが出来るようにしているものであり、歩行時には、邪魔にならない様に可動握手３５を支柱３１の上部に引き上げて、可動握手３５の摺動管３６に設けられた止め具３７によってその位置に固定することで、邪魔にならないようにして使用している。
【０００６】
補助握手付杖３０のストッパー３４は、締め付けネジ３８を螺合操作することで、その位置を調整しながら設定している。
【０００７】
しかるに、補助握手付杖３０を持ち歩いている場合にあって、足腰の負担を軽くするために、置かれている状況に応じて可動握手３５に体重を乗せる状態を変更したい状況になった場合には、ドライバー等の道具を持ち合わせていないことから、締め付けネジ３８の適切な螺合操作を迅速に行うことは困難であり、求められる状況に良好に対処できないという問題点を抱えていた。
【０００８】
【発明が解決しようとする課題】
本発明は、上記の問題点に鑑みてその改善を図るために提案するものであり、補助握手付杖における補助握手の位置を特別の道具等を不要にして簡潔に変更することの出来る新規の補助握手付杖を提供している。
【０００９】
【課題を解決するための手段】
本発明による補助握手付杖は、上端に握手を備え下端に足を備えている支柱に位置を変更できる補助握手を装備して成る杖において、補助握手に位置を調整できる把握機構を配備して、把握機構が使用者の体重によって位置を設定できる作動装置を備えることを特徴にしており、特別の道具等を不要にして補助握手の最適な位置設定を簡潔にしながら、使用者の体重によって強固に固定できるようにしている。
【００１０】
【発明の実施の形態】
本発明による補助握手付杖は、上端に握手を備え下端に足を備えている支柱に位置を変更できる補助握手を装備して成り、補助握手に位置を調整できる把握機構を配備して、把握機構に使用者の体重によって位置を設定できる作動装置を備えていることを特徴にしており、補助握手の位置を特別の道具等を不要にして簡潔に変更出来るようにしながら、使用者の体重によって強固に固定できるようにしている。
【００１１】
以下に、本発明による補助握手付杖の実施の形態を図面に基づいて詳細に説明するが、理解を容易にするために従来と同様に部位については、同一の符号で説明している。
【００１２】
図１は、本発明による補助握手付杖の一実施の形態を示す斜視図（ａ）であり、部分的な断面図（ｂ）にして作動状態を説明している。
【００１３】
本実施の形態は、補助握手付杖１においてストッパーを用いることなく、可動握手２の中に位置を設定できる作動装置として制動機構３を備えている。
【００１４】
制動機構３は、摺動管３６に設けた止め具８の軸４を中心に構成されているので補助握手５は回動できる構造にしている。
【００１５】
補助握手５は、通常状態において、摺動管３６に設けた止め具８の軸４に配置されているバネ６によってトルク作用を受けているので、支柱３１に摩擦チップ７を押し付けており、摩擦チップ７の摩擦力によって全体を滑り落とすこと無く、所定の位置に留めている。
【００１６】
又、補助握手５に手を沿えることで体重を乗せると、軸４を中心にして補助握手５にトルクが発生し、より一層摩擦チップ７と支柱３１との接触部に圧力が加わって摩擦力を増加するために、補助握手５は滑ることなく同じ位置に保たれる。
【００１７】
しかして、補助握手５を最適位置に移動するためには、補助握手５を僅かに上部へ上げる様に動かして、摩擦チップ７と支柱３１とを引き離しながら補助握手５を支柱３１に沿って自由に動かすことが出来る。
【００１８】
尚、握手３２の両端部に装備させているリング状の滑り止め９は、杖を壁等に立てかけた場合、僅かな傾きがあっても転倒し易いことを防止するための補助設備であり、握手３２を握ったときの安定を保つ役割も果たしており、ゴム、合成樹脂等の摩擦係数の大きな材質が適当である。又、支柱３１の材質を十分に強靭なものにすることで傷がつき難いものにしてあれば、摩擦チップ７に変えて、楔型の金属製等に替えることもできる。
【００１９】
図２は、本発明による補助握手付杖の他の実施形態を、体重を支えている作動時の部分斜視図（ａ）と補助握手を使用していない通常時の部分斜視図（ｂ）として表現している。
【００２０】
本実施の形態で示す補助握手付杖１０は、簡潔な可動握手１１を備えている。
可動握手１１は、支柱３１を取り囲む楕円形の輪１２と支柱３１に対して直角ではなく一定の角度を保って輪１２と一体化している補助握手５とから構成されている。補助握手５の下面には、板バネ１３が装備されており、可動握手１１を支柱３１に沿わせる方向に作動させている。
【００２１】
従って、補助握手５に体重を加えることで、可動握手１１を板バネ１３に抗しながら支柱３１に対して直角方向に降下させている場合には、輪１２の内側と支柱３１の外面とが密着することになることで、可動握手１１は、炉鍵の原理によって下方に滑り落ちることなくその位置に堅固に保持される。
【００２２】
一方、可動握手１１から手を離すと、板バネ１３の作用で、補助握手５の部分が上方に跳ね上げられ、楕円の輪１２と支柱３１とは上記と逆な密着状態に至るので、可動握手１１は炉鍵の原理によって下方に滑り落ちる事なくその位置に保たれる。
【００２３】
即ち、可動握手１１は、これらの密着した状態において、輪１２と支柱３１との間に強力な摩擦力を作用させており、炉鍵が落ちて来ないのと同じ原理を作用させている。
【００２４】
又、可動握手１１は、補助握手５を手で握りながら支柱３１と輪１２の内側が密着しない角度に位置させることで、支柱３１に沿って自由に動かすことができるものであり、最適な位置に任意かつ容易に移動させることができる。
【００２５】
以上の説明で明らかなように、本実施の形態は、構造が簡単で、油や氷が杖に付着した時にも滑らないことから、登山用杖等に適用した場合には極めて有効である。
【００２６】
図３は、本発明による補助握手付杖の他の実施形態を、可動握手の要部斜視図（ａ）と断面図（ｂ）として表示している。
【００２７】
本実施の形態で示す補助握手付杖１５は、支柱３１にのこぎり歯状のラック１６を特別に取り付けて置き、可動握手１７をラチェット１８によって固定している。
【００２８】
補助握手５に装備されたラチェット１８は、への字状のラチェットハンドル１９を備えると共に、常時はラチェットハンドル１９の軸４に配置されたバネ６によってラック１６側に押圧されて、ラチェット１８の先端部分がラック１６の歯に引っ掛かっており、ラチェットハンドル１９を握ることによって、ラック１６から開放されるように構成されている。
【００２９】
従って、可動握手１７を下げる時は、ラチェットハンドル１９を握り上げることでラチェット１８がラック１６の歯から外れることになり、下方に自由に動かしながら最適値まで移動させることができる。次いで、ラチェットハンドル１９を握り上げる力を開放すると、バネ６によって可動握手１７は所定の位置に固定させることが出来る。
【００３０】
しかして、可動握手１７を引き上げる場合は、ラチェットハンドル１９を操作しなくても、ラチェット１８がラック１６ののこぎり歯状の斜面部を自由に登れるので、ラチェット１８は、一歯づつ自動的にはずれることで振動させながら引き揚げることができる。
【００３１】
図４は、本発明による補助握手付杖の他の実施形態を、可動握手の要部斜視図（ａ）と断面図（ｂ）として表示している。
【００３２】
本実施の形態で示す補助握手付杖２０は、習動管２１と補助握手２２とを特長にしている。習動管２１は、その長さ方向の途中の内側に溝２３を形成しており、補助握手２２が付いている側には、ネジ付き突出部２４を形成して、中心に溝の方向に向かう穴２５を通してピストン２６を配置している。
【００３３】
溝２３の中には、ラテックスゴムのような軟質弾性体２７が充填されており、補助握手２２は、ネジ付き突出部２４に螺合することで止められ回転させることで出入りさせているので、補助握手２２が短くなる方向へ回すことによって、ピストン２６を介して軟質弾性体２７に圧力が加えられる。
【００３４】
従って、短くなる方向に回された補助握手２２によって圧力を受けた軟質弾性体２７は、支柱３１の中心方向に向かって膨らみを持ち、支柱３１と密着することで強力な摩擦力を発生させるから、可動握手２１を確実に固定することができる。
【００３５】
以上のように、本実施の形態では、補助握手２２の回転操作によって可動握手２１を支柱３１の任意の位置に自由に設定できると共に、支柱３１を木・プラスティック等のように軟質な材質にしたり、支柱３１に装飾が施されている場合であっても、支柱３１に傷が付かないことを特長にしている。
【００３６】
以上、本発明を実施の形態に基づいて詳細に説明してきたが、本発明による補助握手付杖は、上記の構成によって特別の道具等を不要にして補助握手の最適な位置設定を簡潔にしながら使用者の体重によって強固に固定出来るものであるが、上記実施の形態に何ら限定されるものでなく、各部材の材質や形状等に関して、本発明の趣旨を逸脱しない範囲において種々の変更が可能であることは当然のことである。
【００３７】
【発明の効果】
本発明による補助握手付杖は、上端に握手を備え下端に足を備えている支柱に位置を変更できる補助握手を装備して、補助握手に位置を調整できる把握機構を配備して成り、把握機構には位置を設定できる作動装置を備えることを特徴にしているので、特別の道具等を不要にして補助握手の最適な位置設定を簡潔にしながら使用者の体重によって強固に固定出来る効果を奏している。
【図面の簡単な説明】
【　図１】本発明による補助握手付杖の一実施の形態図
【　図２】本発明による補助握手付杖の他の実施形態図
【　図３】本発明による補助握手付杖の他の実施形態図
【　図４】本発明による補助握手付杖の他の実施形態図
【　図５】従来の補助握手付杖
【符号の説明】
１、１０、１５、２０　補助握手付杖、　２、１１、１７　可動握手、
３　制動機構、　４　軸、　５、２２　補助握手、　６　バネ、
７　摩擦チップ、　８　止め具、　９　滑り止め、　１２　輪、
１３　板バネ、　１６　ラック、　１８　ラチェット、
１９　ラチェットハンドル、　２１　摺動管、　２３　溝、
２４　ネジ付き突出部、　２５　穴、　２６　ピストン、
２７　軟質弾性体、　３０　補助握手付杖、　３１　支柱、　３２　握手、
３３　足、　３４　ストッパー、　３５　可動握手、　３６　摺動管、
３７　止め具、　３８　締め付けネジ、
【図１】
2004073331.tif 000003
【図２】
2004073331.tif 000004
【図３】
2004073331.tif 000005
【図４】
2004073331.tif 000006
【図５】
2004073331.tif 000007